(57)【要約】【課題】音声通信中の移動機間において簡易迅速にデータを送受信する。【解決手段】本発明に係る携帯電話１０は、識別情報要求送信部１２と識別情報受信部１３とデータ送信部１５とを備える。識別情報要求送信部１２は、携帯電話２０との音声通信中に、携帯電話２０に対して携帯電話２０のメールアドレスの送信を要求する。識別情報受信部１３は、識別情報要求送信部１２により要求されたメールアドレスを携帯電話２０から受信する。データ送信部１５は、識別情報受信部１３により受信されたメールアドレスを参照して、携帯電話２０宛にデータを送信する。【選択図】  図４
2004165719.tif 000002
【特許請求の範囲】
【請求項１】
受信側移動機との音声通信中に、当該受信側移動機に対して、当該受信側移動機の識別情報の送信を要求する要求手段と、
前記要求手段により要求された前記識別情報を前記受信側移動機から受信する識別情報受信手段と、
前記識別情報受信手段により受信された前記識別情報により特定された受信先にデータを送信するデータ送信手段と
を備えることを特徴とする送信側移動機。
【請求項２】
前記データ送信手段により送信されるデータは、ＵＲＬ、メールアドレス、ＩＰアドレス、ＭＡＣアドレスの内の少なくとも１つであることを特徴とする請求項１に記載の送信側移動機。
【請求項３】
前記受信先は、前記受信側移動機であることを特徴とする請求項１に記載の送信側移動機。
【請求項４】
請求項１に記載の送信側移動機との音声通信中に、前記送信側移動機の要求手段からの要求に応じて、前記送信側移動機宛に、当該受信側移動機の識別情報を送信する識別情報送信手段と、
前記送信側移動機のデータ送信手段により送信されたデータを受信するデータ受信手段と
を備えることを特徴とする受信側移動機。
【請求項５】
前記データ受信手段により受信されたデータの種類を判別する判別手段と、
前記判別手段によりデータの種類が実行可能なファイルと判別された場合に当該ファイルを実行する実行手段と
を更に備えることを特徴とする請求項４に記載の受信側移動機。
【請求項６】
前記データ受信手段により受信されたデータの種類を判別する判別手段と、
前記判別手段によりデータの種類が個人情報を含むものと判別された場合に当該個人情報を格納する格納手段と
を更に備えることを特徴とする請求項４に記載の受信側移動機。
【請求項７】
請求項１に記載の送信側移動機と、請求項４に記載の受信側移動機とを備え、前記送信側移動機と前記受信側移動機との間で通信を行うことを特徴とする情報処理システム。
【請求項８】
送信側移動機が、受信側移動機との音声通信中に、当該受信側移動機に対して、当該受信側移動機の識別情報の送信を要求する要求ステップと、
前記送信側移動機が、前記要求ステップにて要求された前記識別情報を前記受信側移動機から受信する識別情報受信ステップと、
前記送信側移動機が、前記識別情報受信ステップにて受信された前記識別情報により特定された受信先にデータを送信するデータ送信ステップと
を含むことを特徴とする情報処理方法。
【請求項９】
前記データ送信ステップにて送信されるデータは、ＵＲＬ、メールアドレス、ＩＰアドレス、ＭＡＣアドレスの内の少なくとも１つであることを特徴とする請求項８に記載の情報処理方法。
【請求項１０】
前記受信先は、前記受信側移動機であることを特徴とする請求項８に記載の情報処理方法。
【請求項１１】
受信側移動機が、送信側移動機との音声通信中に、前記送信側移動機からの要求に応じて、前記送信側移動機宛に、当該受信側移動機の識別情報を送信する識別情報送信ステップと、
前記受信側移動機が、前記データ送信ステップにて送信されたデータを受信するデータ受信ステップと
を含むことを特徴とする情報処理方法。
【請求項１２】
前記受信側移動機が、前記データ受信ステップにて受信されたデータの種類を判別する判別ステップと、
前記受信側移動機が、前記判別ステップにてデータの種類が実行可能なファイルと判別された場合に当該ファイルを実行する実行ステップと
を更に含むことを特徴とする請求項１１に記載の情報処理方法。
【請求項１３】
前記受信側移動機が、前記データ受信ステップにて受信されたデータの種類を判別する判別ステップと、
前記受信側移動機が、前記判別ステップにてデータの種類が個人情報を含むものと判別された場合に当該個人情報を格納手段に格納する格納ステップと
を更に含むことを特徴とする請求項１１に記載の情報処理方法。
【請求項１４】
送信側移動機によって読み取り可能なプログラムであって、
受信側移動機との音声通信中に、当該受信側移動機に対して、当該受信側移動機の識別情報の送信を要求する要求機能と、
前記送信側移動機が、要求された前記識別情報を前記受信側移動機から受信する識別情報受信機能と、
前記送信側移動機が、受信された前記識別情報により特定された受信先にデータを送信するデータ送信機能と
を前記送信側移動機に実現させることを特徴とするプログラム。
【請求項１５】
受信側移動機によって読み取り可能なプログラムであって、
送信側移動機との音声通信中に、前記送信側移動機からの要求に応じて、前記送信側移動機宛に、当該受信側移動機の識別情報を送信する識別情報送信機能と、
送信されたデータを受信するデータ受信機能と
を前記受信側移動機に実現させることを特徴とするプログラム。
【発明の詳細な説明】
【０００１】
【発明の属する技術分野】
本発明は、送信側移動機、受信側移動機、情報処理システム、情報処理方法、及びプログラムに関する。
【０００２】
【従来の技術】
従来、無線通信技術の発達に伴い、携帯電話を始めとする移動機間において、音声通信（通話）のみならず、電子メール等のデータの送受信を行う技術が実用化されている。また、近年では、メールアドレス等の端末識別情報を利用して、テキストデータ以外の画像データや音声データなどを送受信できるサービスも普及しつつある（例えば、特許文献１及び特許文献２参照。）。
【０００３】
【特許文献１】
特開平８−７９８２７
【特許文献２】
特開平１１−８８８４
【０００４】
【発明が解決しようとする課題】
しかしながら、上記従来技術では、以下に示すような問題点があった。すなわち、移動機間において音声以外のデータを送受信する際には、電話番号以外の情報を用いて通信相手の移動機を特定する必要がある。したがって、例えば、送信側移動機から受信側移動機宛に所望のデータを送信する場合には、受信側移動機のユーザが、送信側移動機のユーザにメールアドレスを口頭で伝えた後に、当該メールアドレスを宛先アドレスとして手入力する。このため、入力に手間と時間が掛かると共に、識別情報が誤って伝達される可能性も予見される。
【０００５】
そこで、本発明の課題は、音声通信中の移動機間において簡易迅速にデータを送受信することを可能とする送信側移動機、受信側移動機、情報処理システム、情報処理方法、及びプログラムを提供することである。
【０００６】
【課題を解決するための手段】
上記課題を解決するために、本発明に係る送信側移動機は、受信側移動機との音声通信中に当該受信側移動機に対して当該受信側移動機の識別情報の送信を要求する要求手段と、前記要求手段により要求された前記識別情報を前記受信側移動機から受信する識別情報受信手段と、前記識別情報受信手段により受信された前記識別情報により特定された受信先にデータを送信するデータ送信手段とを備える。
【０００７】
本発明に係る受信側移動機は、上述した送信側移動機との音声通信中に前記送信側移動機の要求手段からの要求に応じて前記送信側移動機宛に当該受信側移動機の識別情報を送信する識別情報送信手段と、前記送信側移動機のデータ送信手段により送信されたデータを受信するデータ受信手段とを備える。
【０００８】
また、上述した送信側移動機と、上述した受信側移動機とを備え、前記送信側移動機と前記受信側移動機との間で通信を行う情報処理システムとして構築及び運用してもよい。
【０００９】
本発明に係る情報処理方法は、送信側移動機が、受信側移動機との音声通信中に、当該受信側移動機に対して、当該受信側移動機の識別情報の送信を要求する要求ステップと、前記送信側移動機が、前記要求ステップにて要求された前記識別情報を前記受信側移動機から受信する識別情報受信ステップと、前記送信側移動機が、前記識別情報受信ステップにて受信された前記識別情報により特定された受信先にデータを送信するデータ送信ステップとを含む。
【００１０】
本発明に係る情報処理方法は、受信側移動機が、送信側移動機との音声通信中に、前記送信側移動機からの要求に応じて、前記送信側移動機宛に、当該受信側移動機の識別情報を送信する識別情報送信ステップと、前記受信側移動機が、前記データ送信ステップにて送信されたデータを受信するデータ受信ステップとを含む。
【００１１】
本発明に係るプログラムは、送信側移動機によって読み取り可能なプログラムであって、受信側移動機との音声通信中に、当該受信側移動機に対して、当該受信側移動機の識別情報の送信を要求する要求機能と、前記送信側移動機が、要求された前記識別情報を前記受信側移動機から受信する識別情報受信機能と、前記送信側移動機が、受信された前記識別情報により特定された受信先にデータを送信するデータ送信機能とを前記送信側移動機に実現させる。
【００１２】
また、本発明に係るプログラムは、受信側移動機によって読み取り可能なプログラムであって、送信側移動機との音声通信中に、前記送信側移動機からの要求に応じて、前記送信側移動機宛に、当該受信側移動機の識別情報を送信する識別情報送信機能と、送信されたデータを受信するデータ受信機能とを前記受信側移動機に実現させる。
【００１３】
ここで、音声通信中には、送信側移動機と受信側移動機との間で音声通信が可能な通信状態（応答〜終話）はもとより、かかる通信状態に移行するための不可欠の前提となる呼の着信時や発信時を含む。
【００１４】
これらの発明によれば、受信側移動機との音声通信中に当該受信側移動機に対して当該受信側移動機の識別情報の送信が要求されたことに伴い、要求された前記識別情報が前記受信側移動機から受信される。そして、受信された前記識別情報を参照して特定された受信先にデータが送信される。これにより、送信側移動機から受信側移動機宛に所望のデータを送信する際に、受信側移動機のユーザが、送信側移動機のユーザに識別情報（例えば、メールアドレス）を口頭で伝える必要がない。また、送信側移動機のユーザが当該識別情報を手入力する必要もない。したがって、識別情報の伝達及び入力に伴う手間と時間が軽減されると共に、識別情報が誤って伝達される可能性も低くなる。その結果、音声通信中の移動機間において簡易迅速にデータを送受信することが可能となる。
【００１５】
本発明に係る送信側移動機において好ましくは、前記データ送信手段により送信されるデータは、ＵＲＬ、メールアドレス、ＩＰアドレス、ＭＡＣアドレスの内の少なくとも１つである。
本発明に係る情報処理方法において好ましくは、前記データ送信ステップにて送信されるデータは、ＵＲＬ、メールアドレス、ＩＰアドレス、ＭＡＣアドレスの内の少なくとも１つである。
本発明に係るプログラムにおいて好ましくは、前記データ送信機能により送信されるデータは、ＵＲＬ、メールアドレス、ＩＰアドレス、ＭＡＣアドレスの内の少なくとも１つである。
【００１６】
これらの発明によれば、送信側移動機から受信側移動機宛に送信されるデータは、ＵＲＬ（Ｕｎｉｆｏｒｍ  Ｒｅｓｏｕｒｃｅ  Ｌｏｃａｔｏｒ）、メールアドレス、ＩＰ（Ｉｎｔｅｒｎｅｔ  Ｐｒｏｔｏｃｏｌ）アドレス、ＭＡＣ（Ｍｅｄｉａ  Ａｃｃｅｓｓ  Ｃｏｎｔｒｏｌ）アドレスの内の少なくとも１つである。通常、ＵＲＬ、メールアドレス、ＩＰアドレス、ＭＡＣアドレスを示す各データはテキストデータであるので、これらによって特定される実データと比較してデータ容量が少ない。したがって、パーソナルコンピュータ等の情報処理装置と比較して記憶容量や処理能力の低い移動機におけるデータ処理時間及び処理負荷を軽減できる。また、送信側移動機が実データを送信する必要が無く、移動機間における通信負荷を低減できる。
【００１７】
前記識別情報により特定された受信先とは、例えば受信側移動機である。これにより、送信側移動機から、当該識別情報の送信元である受信側移動機に対して、データが確実に送信される。
【００１８】
本発明に係る受信側移動機において、より好ましくは、前記データ受信手段により受信されたデータの種類を判別する判別手段と、前記判別手段によりデータの種類が実行可能なファイルと判別された場合に、当該ファイルを実行する実行手段とを更に備える。
【００１９】
本発明に係る情報処理方法において、より好ましくは、前記受信側移動機が、前記データ受信ステップにて受信されたデータの種類を判別する判別ステップと、前記受信側移動機が、前記判別ステップにてデータの種類が実行可能なファイルと判別された場合に、当該ファイルを実行する実行ステップとを更に含む。
【００２０】
本発明に係るプログラムにおいて、より好ましくは、前記データ受信機能により受信されたデータの種類を判別する判別機能と、データの種類が実行可能なファイルと判別された場合に、当該ファイルを実行する実行機能とを前記受信側移動機に更に実現させる。
【００２１】
これらの発明によれば、受信側移動機にて受信されたデータの種類が判別され、データの種類が実行可能なファイルと判別された場合に当該ファイルが実行される。ここで、ファイルは、例えば、画像、音楽、アプリケーションプログラム等のファイルである。これにより、受信側移動機のユーザは、送信側移動機から送信された実行可能ファイルを即時かつ容易に使用（閲覧や試聴を含む）できる。
【００２２】
本発明に係る受信側移動機において、より好ましくは、前記データ受信手段により受信されたデータの種類を判別する判別手段と、前記判別手段によりデータの種類が個人情報を含むものと判別された場合に、当該個人情報を格納する格納手段とを更に備える。
【００２３】
本発明に係る情報処理方法において、より好ましくは、前記受信側移動機が、前記データ受信ステップにて受信されたデータの種類を判別する判別ステップと、前記受信側移動機が、前記判別ステップにてデータの種類が個人情報を含むものと判別された場合に、当該個人情報を格納手段に格納する格納ステップとを更に含む。
【００２４】
本発明に係るプログラムにおいて、より好ましくは、前記データ受信機能により受信されたデータの種類を判別する判別機能と、データの種類が個人情報を含むものと判別された場合に、当該個人情報を格納手段に格納する格納機能とを前記受信側移動機に更に実現させる。
【００２５】
これらの発明によれば、受信側移動機にて受信されたデータの種類が判別され、データの種類が個人情報を含むものであると判別された場合に当該個人情報が格納手段（例えば、電話帳データベース）に格納される。個人情報を含むデータとは、例えば、電子名刺である。これにより、受信側移動機のユーザは、送信側移動機から送信されたデータを簡易迅速に電子電話帳に登録できる。
【００２６】
なお、送信側移動機との間で上記データ送受信を行う主体は、受信側移動機に限らず、ネットワーク（通信網）であってもよい。この場合には、送信側移動機に対して識別情報を送信する為の条件を受信側移動機側で適宜選択可能とすることが好ましい。かかる条件としては、例えば、パスワードが一致した場合にのみ送信、設定無し（送信要求のあった全ての送信側移動機宛に送信）、一切送信しない等が想定される。これにより、受信側移動機のユーザの必要に応じて、識別情報の送信を制限することができ、所望しない相手にまで識別情報が不用意に送信される懸念が解消される。
【００２７】
【発明の実施の形態】
まず、本発明の一実施形態としての情報処理システムの構成について説明する。
図１は、本実施形態におけるデータ送受信システム１のハードウェア構成図である。図１に示す様に、データ送受信システム１は、携帯電話１０（送信側移動機に対応）と携帯電話２０（受信側移動機に対応）とファイル提供サーバ３０（サーバ装置に対応）とを備えて構成される。携帯電話２０は、移動通信網Ｎを介してファイル提供サーバ３０と接続されており、双方向にデータの送受信が可能となっている。
【００２８】
続いて、本実施形態における携帯電話１０のハードウェア構成について説明する。図２は、携帯電話１０のハードウェア構成図である。携帯電話１０は、制御部としてのＣＰＵ１０ａと、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）などのメモリ１０ｂと、移動通信網Ｎと無線接続可能な無線通信装置１０ｃと、操作ボタンなどの入力装置１０ｄと、ＬＣＤ（Ｌｉｑｕｉｄ  Ｃｒｙｓｔａｌ  Ｄｉｓｐｌａｙ）やＥＬ（Ｅｌｅｃｔｒｏ  Ｌｕｍｉｎｅｓｃｅｎｃｅ）などの表示装置１０ｅと、マイクやスピーカなどの音声処理装置１０ｆとを備えて構成される。ＣＰＵ１０ａ、メモリ１０ｂ、無線通信装置１０ｃ、入力装置１０ｄ、表示装置１０ｅ、音声処理装置１０ｆは、それぞれバス１０ｇによって接続されており、相互にデータの送受信が可能となっている。
【００２９】
なお、本実施形態における携帯電話２０のハードウェア構成は、携帯電話１０のハードウェア構成と同様である。したがって、図示及び詳細な説明は省略すると共に、各構成部分には同列の符号を付す。すなわち、携帯電話２０は、ＣＰＵ２０ａと、メモリ２０ｂと、無線通信装置２０ｃと、入力装置２０ｄと、表示装置２０ｅと、音声処理装置２０ｆとをそれぞれ備えて構成される。
【００３０】
次に、本実施形態におけるファイル提供サーバ３０のハードウェア構成について説明する。図３は、ファイル提供サーバ３０のハードウェア構成図である。図３に示す様に、ファイル提供サーバ３０は、ＣＰＵ３０ａ、ＲＡＭ（Ｒａｎｄｏｍ  Ａｃｃｅｓｓ  Ｍｅｍｏｒｙ）３０ｂ、磁気ディスクや光ディスクなどの格納装置３０ｃ、携帯電話１０，２０との間で通信制御を行う通信カード等の送受信装置３０ｄ、キーボードやマウスなどの入力装置３０ｅ、液晶ディスプレイなどの表示装置３０ｆを備えて構成される。ＣＰＵ３０ａ、ＲＡＭ３０ｂ、格納装置３０ｃ、送受信装置３０ｄ、入力装置３０ｅ、表示装置３０ｆは、それぞれバス３０ｇによって接続されており、互いにデータの送受信が可能となっている。
【００３１】
図４は、携帯電話１０と携帯電話２０とファイル提供サーバ３０のシステム構成図である。携帯電話１０は、移動通信網Ｎを介して携帯電話２０と各種データの送受信を行う送信側移動機であって、機能的には、通話要求送信部１１と、識別情報要求送信部１２（要求手段に対応）と、識別情報受信部１３（識別情報受信手段に対応）と、データ格納部１４と、データ送信部１５（データ送信手段に対応）と、を備えて構成される。
【００３２】
ここで、データ格納部１４は、図２に示したメモリ１０ｂに対応する。その他の構成要素である通話要求送信部１１と、識別情報要求送信部１２と、識別情報受信部１３と、データ送信部１５とは、図２に示したメモリ１０ｂに格納されたソフトウェアがＣＰＵ１０ａによって実行されることにより実現する。
【００３３】
以下、携帯電話１０の各構成要素について詳細に説明する。
通話要求送信部１１は、携帯電話２０に対して通話要求を送信する。
識別情報要求送信部１２は、携帯電話２０の識別情報を携帯電話１０に送信する要求を携帯電話２０宛に送信する。ここで、識別情報は、通信相手である携帯電話２０を一意に特定するための情報であり、例えば、ＩＰ（Ｉｎｔｅｒｎｅｔ  Ｐｒｏｔｏｃｏｌ）アドレス、メールアドレス、電話番号などである。
識別情報受信部１３は、携帯電話２０の識別情報送信部２３から送信される識別情報を受信する。
【００３４】
データ格納部１４には、携帯電話２０への送信対象となるデータが格納されている。具体的には、データ格納部１４には、ＵＲＬと、画像、音楽、アプリケーションプログラム等の実行可能データ（以下、「コンテンツデータ」と記す。）と、氏名や住所などが記載された名刺データとが格納されている。
データ送信部１５は、識別情報受信部１３により受信された識別情報に基づいて上記データを送信するためのデータチャネルを確立し、携帯電話２０宛にデータを送信する。
【００３５】
携帯電話２０は、移動通信網Ｎを介して携帯電話１０及びファイル提供サーバ３０と各種データの送受信を行う受信側移動機であって、機能的には、通話要求受信部２１と、識別情報要求受信部２２と、識別情報送信部２３（識別情報送信手段に対応）と、データ受信部２４（データ受信手段に対応）と、データ種類判別部２５（判別手段に対応）と、ＵＲＬ送信部２６と、ファイル受信部２７と、電話帳ＤＢ２８１を有するデータ格納部２８（格納手段に対応）と、コンテンツ実行部２９（実行手段に対応）と、を備えて構成される。
【００３６】
通話要求受信部２１は、携帯電話１０の通話要求送信部１１により送信された通話要求を受信する。
識別情報要求受信部２２は、携帯電話１０の識別情報要求送信部１２により送信された識別情報の送信要求を受信する。
【００３７】
識別情報送信部２３は、識別情報要求受信部２２により識別情報の送信要求が受信されると、データ格納部２８から携帯電話２０の識別情報を取得して、携帯電話１０宛に送信する。
データ受信部２４は、携帯電話１０のデータ送信部１５により送信されるデータを受信する。
【００３８】
データ種類判別部２５は、データ受信部２４により受信されたデータの種類を判別する。具体的には、データ種類判別部２５は、受信されたデータが、ＵＲＬ、コンテンツデータ、名刺データの内、何れのデータであるかを判別する。
ＵＲＬ送信部２６は、データ受信部２４により受信されたデータがＵＲＬであると判別された場合、当該ＵＲＬをファイル提供サーバ３０宛に送信する。
【００３９】
ファイル受信部２７は、ＵＲＬ送信部２６により送信されたＵＲＬに基づいて取得されファイル提供サーバ３０から送信されたファイルを受信する。
データ格納部２８には、上述した識別情報が予め格納されている。データ格納部２８は、ファイル受信部２７により受信されたファイルを格納する。
【００４０】
また、データ格納部２８は、電話帳ＤＢ（Ｄａｔａ  Ｂａｓｅ）２８１を有する。図５は、データ受信部２４により受信されたデータが名刺データであると判別された場合に、名刺データが格納（登録）される電話帳ＤＢ２８１の構成を示す図である。図５に示す様に、電話帳ＤＢ２８１は、氏名データが格納される氏名領域２８１ａと、電話番号データが格納される電話番号領域２８１ｂと、電子メールアドレスが格納されるメールアドレス領域２８１ｃとを有する。各々のデータは関連付けて格納されている。
【００４１】
コンテンツ実行部２９は、データ受信部２４により受信されたデータがコンテンツデータであると判別された場合に、当該コンテンツデータを実行する。コンテンツデータの実行とは、例えばコンテンツデータが画像データの場合には画像を表示装置２０ｅに表示し、音楽データの場合には音声処理装置２０ｆにより再生し、アプリケーションプログラムの場合にはＣＰＵ２０ａにより起動する。
【００４２】
また、ファイル提供サーバ３０は、携帯電話２０と各種データの送受信を行うサーバ装置であって、機能的には、ＵＲＬ受信部３１と、ファイル格納ＤＢ３２と、ファイル送信部３３とを備えて構成される。ここで、ＵＲＬ受信部３１とファイル送信部３３とは、図３に示した格納装置３０ｃに格納されたソフトウェアがＣＰＵ３０ａによって実行されることにより実現する。ファイル格納ＤＢ３２は、図３に示した格納装置３０ｃに対応する。
【００４３】
以下、ファイル提供サーバ３０の各構成要素について詳細に説明する。
ＵＲＬ受信部３１は、携帯電話２０のＵＲＬ送信部２６により送信されたＵＲＬを受信する。
ファイル格納ＤＢ３２には、ＵＲＬとファイルとが関連付けて格納されている。
ファイル送信部３３は、受信されたＵＲＬにより特定されたファイルをファイル格納ＤＢ３２から取得して携帯電話２０宛に送信する。
【００４４】
図６は、ファイル格納ＤＢ３２の構成を示す図である。図６に示す様に、ファイル格納ＤＢ３２は、ＵＲＬ領域３２ａとファイル領域３２ｂとを有する。ＵＲＬ領域３２ａには、ファイルの格納場所を示す情報（例えば、“ｈｔｔｐ：／／ｗｗｗ．ｘｘｘ．ｎｅ．ｊｐ”、“ｈｔｔｐ：／／ｗｗｗ．ｙｙｙ．ｃｏ．ｊｐ”、…）が「ＵＲＬ」として格納されている。ファイル領域３２ｂには、ＵＲＬに対応するファイルが格納されている。なお、ファイル領域３２ｂには、ファイルを特定可能なファイル名が格納され、ファイル自体のデータは、別の領域に格納されているものとしても勿論よい。
【００４５】
次に、データ送受信システム１の動作について説明し、併せて、本発明に係る情報処理方法について説明する。動作説明の前提として、本実施の形態では、携帯電話１０のユーザが、携帯電話２０のユーザに対してデータを提供する場合を想定する。
【００４６】
図７は、本実施形態に係るデータ送受信システム１により実行制御されるデータ送受信処理を示すフローチャートである。まず、携帯電話１０の通話要求送信部１１により携帯電話２０との通話要求が送信される（Ｓ１）と、携帯電話２０の通話要求受信部２１により当該通話要求が受信される（Ｓ２）。その結果、携帯電話１０と携帯電話２０との間に音声チャネルが確立され、音声チャネルを介した音声通信（通話）が開始される（Ｓ３）。
【００４７】
続いて、音声通信を維持した状態で、携帯電話１０の識別情報要求送信部１２により携帯電話２０に対して識別情報の送信要求が送信される（Ｓ４）と、携帯電話２０の識別情報要求受信部２２により当該識別情報の送信要求が受信される（Ｓ５）。
【００４８】
Ｓ６では、識別情報の送信要求の受信に伴い、携帯電話２０の識別情報送信部２３により携帯電話１０宛に識別情報が送信される。このとき、携帯電話２０のユーザに対して識別情報の送信の肯否が確認され、送信許可が得られた場合にのみ識別情報が送信されるものとしてもよい。
Ｓ７では、Ｓ６で送信された識別情報が、携帯電話１０の識別情報受信部１３により受信される。
【００４９】
Ｓ８では、Ｓ７で受信された識別情報によって特定された携帯電話２０を送信先として、データ格納部１４から取得されたデータが、データ送信部１５により送信される。なお、当該データの通信経路として使用されるチャネルは、Ｓ７で受信された識別情報に基づいて確立された携帯電話２０に固有のデータチャネル（個別チャネル）であってもよいし、複数の携帯電話により共有されるデータチャネル（共有チャネル）であってもよい。
【００５０】
Ｓ９では、Ｓ８で携帯電話１０から送信されたデータが、携帯電話２０のデータ受信部２４により受信される。
Ｓ１０では、Ｓ９で受信されたデータの種類がデータ種類判別部２５により判別される。判別の結果、データの種類がＵＲＬの場合には、当該ＵＲＬがＵＲＬ送信部２６によりファイル提供サーバ３０宛に送信される（Ｓ１１）。
【００５１】
Ｓ１２では、Ｓ１１で送信されたＵＲＬが、ファイル提供サーバ３０のＵＲＬ受信部３１により受信される。
Ｓ１３では、Ｓ１２で受信されたＵＲＬによって特定されたファイルが、ファイル格納ＤＢ３２から取得され、ファイル送信部３３により携帯電話２０宛に送信される。
【００５２】
Ｓ１４では、Ｓ１３で送信されたファイルが、携帯電話２０のファイル受信部２７により自動的に受信され、データ格納部２８に格納（ダウンロード）される。そして、図８のＳ１８では、携帯電話１０と携帯電話２０との間における通信の切断を以って、一連のデータ送受信処理が終了する。
【００５３】
なお、Ｓ１１〜Ｓ１４の一連の処理は、Ｓ１０で判別されたデータの種類がＵＲＬの場合を例示して説明したが、ＵＲＬの他に、メールアドレスやＩＰアドレスの場合にも同様の処理が実行される。すなわち、データがメールアドレスの場合には、携帯電話２０はメールサーバとの間でデータの送受信を行い、データがＩＰアドレスの場合には、携帯電話２０はＤＮＳ（Ｄｏｍａｉｎ  Ｎａｍｅ  Ｓｅｒｖｅｒ）等のサーバ装置との間でデータの送受信を行う。更に、データがＭＡＣ（Ｍｅｄｉａ  ＡｃｃｅｓｓＣｏｎｔｒｏｌ）アドレスの場合には、携帯電話２０は、ルータやブリッジ等の通信装置との間でデータの送受信を行う。
【００５４】
図８に移り、Ｓ１０における判別の結果、データの種類がコンテンツの場合には、コンテンツ実行部２９により当該コンテンツが自動的に実行される（Ｓ１５）。そして、Ｓ１８では、各携帯電話１０，２０間の通信の切断を以って、一連のデータ送受信処理が終了する。
【００５５】
更に、Ｓ１０における判別の結果、データの種類が名刺の場合には、名刺に含まれる電話番号やメールアドレス等の個人情報が電話帳ＤＢ２８１に登録された後に（Ｓ１６）、携帯電話１０，２０間の通信が切断される（Ｓ１８）。このとき、携帯電話２０のユーザに対して個人情報登録の肯否が確認され、登録許可が得られた場合にのみ個人情報が登録されるものとしてもよい。
【００５６】
なお、Ｓ９で受信されたデータが、ＵＲＬ、コンテンツ、名刺の何れのデータでもない場合には、当該データは、データ格納部２８の所定領域に格納された後に（Ｓ１７）、携帯電話１０，２０間の通信が切断される（Ｓ１８）。
【００５７】
以上説明した様に、本発明に係るデータ送受信システム１によれば、携帯電話１０から携帯電話２０宛に所望のデータを送信する際に、携帯電話２０のユーザは、メールアドレスやＩＰアドレス等の識別情報を携帯電話１０のユーザに口頭で伝える必要がない。また、携帯電話１０のユーザは、識別情報の手入力により送信先を指定する必要がない。したがって、識別情報の伝達及び入力に伴う手間と時間が軽減されると共に、識別情報が誤って伝達される可能性も低くなる。その結果、音声通信中の携帯電話間において簡易迅速にデータを送受信することが可能となる。
【００５８】
最後に、本発明に係るデータ送受信技術を実現するためのプログラム、及び当該プログラムを記録したコンピュータ読取り可能な記録媒体（以下、単に「記録媒体」と記す。）について説明する。記録媒体とは、汎用コンピュータ等のハードウェア資源に備えられている読取り装置に対して、プログラムの記述内容に応じて、磁気、光、電気等のエネルギーの変化状態を引き起こし、それに対応する信号の形式で、読取り装置にプログラムの記述内容を伝達できるものである。かかる記録媒体としては、例えば、ＩＣ（Ｉｎｔｅｇｒａｔｅｄ  Ｃｉｒｃｕｉｔ）カード、磁気ディスク、光ディスク、光磁気ディスクの様にコンピュータ（携帯電話を含む）に着脱可能に装着されるものの他に、コンピュータに固定的に内蔵されるＨＤ（ＨａｒｄＤｉｓｋ）や一体に固着されたファームウェア等の不揮発性半導体メモリなどが該当する。
【００５９】
また、上記プログラムは、その一部若しくは全部を他の機器から通信回線等の伝送媒体を介して、本発明としての送信側移動機又は受信側移動機により受信され記録される構成にしてもよい。反対に、上記プログラムは、本発明としての送信側移動機又は受信側移動機から伝送媒体を介して他の機器に伝送され、インストールされる構成としてもよい。
【００６０】
なお、本発明は、上述した実施の形態に限定されるものではなく、本発明の趣旨を逸脱しない範囲において、適宜変形態様を採ることも可能である。例えば、本実施の形態では、携帯電話１０から携帯電話２０へのデータ送信は、各携帯電話間における音声通信中に行われるものとしたが、識別情報を送受信した後であれば、音声通信の切断後（通話終了後）に行われるものとしてもよい。
【００６１】
【発明の効果】
本発明によれば、受信側移動機との音声通信中に当該受信側移動機に対して当該受信側移動機の識別情報の送信が要求されたことに伴い、要求された前記識別情報が前記受信側移動機から受信される。そして、受信された前記識別情報により特定された受信先にデータが送信される。これにより、送信側移動機から受信側移動機宛に所望のデータを送信する際に、受信側移動機のユーザが送信側移動機のユーザに識別情報を口頭で伝えたり、送信側移動機のユーザが当該識別情報を手入力したりする必要がない。したがって、識別情報の伝達及び入力に伴う手間と時間が軽減されると共に、識別情報が誤って伝達される可能性も低くなる。その結果、音声通信中の移動機間において簡易迅速にデータを送受信することが可能となる。
【図面の簡単な説明】
【図１】情報処理システムのハードウェア構成図である。
【図２】携帯電話のハードウェア構成図である。
【図３】ファイル提供サーバのハードウェア構成図である。
【図４】情報処理システムのシステム構成図である。
【図５】名刺データが格納される電話帳データベースの構成を示す図である。
【図６】ファイル格納データベースの構成を示す図である。
【図７】データ送受信処理の前半部分を示すフローチャートである。
【図８】データ送受信処理の後半部分を示すフローチャートである。
【符号の説明】
１…情報処理システム、１０…携帯電話、１２…識別情報要求送信部、１３…識別情報受信部、１５…データ送信部、２０…携帯電話、２３…識別情報送信部、２４…データ受信部、２５…データ種類判別部、２８…データ格納部、２９…コンテンツ実行部、３０…ファイル提供サーバ
【図１】
2004165719.tif 000003
【図２】
2004165719.tif 000004
【図３】
2004165719.tif 000005
【図４】
2004165719.tif 000006
【図５】
2004165719.tif 000007
【図６】
2004165719.tif 000008
【図７】
2004165719.tif 000009
【図８】
2004165719.tif 000010